(57)【要約】【課題】１枚のＤＶＤに同一内容の音声信号が複数のフォーマットでエンコードされ、記録されている場合に、所望の音声信号のユーザが所望する音声信号のフォーマットを見落とすことなく、視聴することができるディスク再生装置を提供する。【解決手段】再生部と再生回路と制御部とを備え、外部に表示器とアンプ＆スピーカを備える。制御部内部には、フォーマット検出部を備える。再生回路が、操作部で指定されたタイトルのコンテンツを再生した場合に（ＳＴ１）、フォーマット検出部が、このタイトルが複数のフォーマットで音声信号が記録されていることを検出したときは（ＳＴ２のＹ）、表示器に「このコンテンツには、複数のフォーマットで記録された音声が存在します。」旨を表示する映像信号を出力する（ＳＴ３）。【選択図】図２
2007310977.tif 000002
【特許請求の範囲】
【請求項１】
複数のフォーマットでエンコードされた音声信号が記録されたＤＶＤのデータを読み取って、前記音声信号のフォーマットを検出する検出手段を備えたディスク再生装置において、
前記音声信号を出力する言語の設定を予め受け付ける言語設定手段と、
前記音声信号を出力するフォーマットの設定を予め受け付けるフォーマット設定手段と、
前記検出手段が検出したフォーマットの中に、前記言語設定手段で設定した言語に対応するフォーマットであり、前記フォーマット設定手段で設定したフォーマットであって、かつ、現在再生されている音声信号のフォーマット以外のフォーマットが含まれるという条件を満たした場合に、該フォーマットを検出した旨を表示器に出力する告知手段と、を備えたディスク再生装置。
【請求項２】
複数のフォーマットでエンコードされた音声信号が記録されたディスクのデータを読み取って、前記音声信号のフォーマットを検出する検出手段を備えたディスク再生装置において、
前記検出手段が検出したフォーマットが複数であるという条件を満たした場合に、前記フォーマットを複数検出した旨を表示器に出力する告知手段を備えたディスク再生装置。
【請求項３】
複数のフォーマットでエンコードされた音声信号が記録されたディスクのデータを読み取って、前記音声信号のフォーマットを検出する検出手段を備えたディスク再生装置において、
前記音声信号を出力するフォーマットの設定を予め受け付けるフォーマット設定手段と、
前記検出手段が検出したフォーマットの中に、前記フォーマット設定手段で設定したフォーマットが含まれるという条件を満たした場合に、該フォーマットを検出した旨を表示器に出力する告知手段を備えたディスク再生装置。
【請求項４】
複数のフォーマットでエンコードされた音声信号が記録されたディスクのデータを読み取って、前記音声信号のフォーマットを検出する検出手段を備えたディスク再生装置において、
前記音声信号を出力する言語の設定を予め受け付ける言語設定手段と、
前記検出手段が検出したフォーマットの中に、前記言語設定手段で設定した言語に対応する複数のフォーマットが含まれるという条件を満たした場合に、該フォーマットを複数検出した旨を表示器に出力する告知手段と、を備えたディスク再生装置。
【請求項５】
複数のフォーマットでエンコードされた音声信号が記録されたディスクのデータを読み取って、前記音声信号のフォーマットを検出する検出手段を備えたディスク再生装置において、
前記音声信号を出力する言語の設定を予め受け付ける言語設定手段と、
前記音声信号を出力するフォーマットの設定を予め受け付けるフォーマット設定手段と、
前記検出手段が検出したフォーマットの中に、前記言語設定手段で設定した言語に対応するフォーマットであり、前記フォーマット設定手段で設定したフォーマットが含まれるという条件を満たした場合に、該フォーマットを検出した旨を表示器に出力する告知手段と、を備えたディスク再生装置。
【請求項６】
前記告知手段は、前記条件を満たすフォーマットが、現在再生されている音声信号のフォーマットのみの場合には、前記出力することを行わない請求項２〜５のいずれかに記載のディスク再生装置。
【発明の詳細な説明】
【技術分野】
【０００１】
本発明は、複数のフォーマットで音声信号が記録されたディスクを再生する装置に関する。
【背景技術】
【０００２】
ＤＶＤには、同じ内容の音声を複数の異なるフォーマット、例えばドルビーディジタル（商標）、ｄｔｓ（商標）、リニアＰＣＭ、ＭＰＥＧ（商標）等の音声信号が記録することができる。従来より、ユーザがこれらのフォーマットの中から所望のものを選択して切り替えて再生することができる、ディスク再生装置が実用化されている。記録するフォーマットの数や種類は、ディスクメーカがある程度自由に決めることができ、ディスクやタイトルにより異なる場合が多いため、ユーザは、タイトル毎にフォーマットを選択する操作しなければならない場合がある。そこで、そのわずらわしい操作を容易にしたディスク再生装置が開示されている（特許文献１、２等）。
【０００３】
特許文献１の文献の図７には、ディスクの再生中に現在使用可能な音声チャンネル数をユーザに警告する画面の一例として、「このディスクには、５チャンネルの音声が収音されています。」との表示がされる旨の記載がある。
【０００４】
特許文献２には、段落１１、図４にあるように、聴取者が再生を希望するオーディオ信号のフォーマットについて優先順位を前もって選択する設定画面を用意し、これにより設定したデータを不揮発メモリに記憶して、再生時にはこの設定した音声信号のフォーマットに切り替える構成が記載されている。また、この文献の請求項２には、この設定画面で登録されたフォーマットに従って再生された場合に、そのフォーマットを音声または映像で案内する旨の記載がある。
【０００５】
さらに、１枚のＤＶＤに、複数の言語とその言語それぞれについて同一内容の音声信号が複数のフォーマットで記録されている場合がある。従来、実用化されている構成では、言語が予め設定されていた場合に、音声信号のフォーマットよりもこの言語の設定が優先され、この言語設定の中で決められた音声信号を出力するディスク再生装置があった。
【特許文献１】特開平８−２８７６１３号公報
【特許文献２】２００６−１９９０３号公報
【発明の開示】
【発明が解決しようとする課題】
【０００６】
しかしながら、特許文献１の図７等に記載されている構成が扱う音声信号のチャンネルは、主として音声信号の言語の設定に関するものであって、音声信号のフォーマットではない。したがって、より高音質の音声信号があったとしても、言語が同じであればその音声信号のフォーマットがＤＶＤに記録されているという情報は告知されないから、高音質に対応する音響システムを有するユーザは、タイトル毎にユーザが高音質の音声信号をチェックするわずらわしい作業が必要であった。また、特許文献２の構成では、聴取者が再生を希望するフォーマットのオーディオ信号に勝手に切り替わるので、必ずしもユーザが希望しない場合がある問題があった。
【０００７】
また、特許文献１，２には、複数の言語のうちのいずれかを選択する場合に、音声信号の設定を容易にする方法については、明示されていない。また、従来実用化されたディスク再生装置では、言語が予め設定されていた場合に、音声信号のフォーマットよりもこの言語の設定が優先され、この言語設定の中で決められた音声信号を出力するので、希望のフォーマットの音声信号が出力されない場合があった。
【０００８】
このような問題に鑑み、本発明は、１枚のＤＶＤに同一内容の音声信号が複数のフォーマットでエンコードされ、記録されている場合に、所望の音声信号のユーザが所望する音声信号のフォーマットを見落とすことなく、視聴することができるディスク再生装置を提供することを目的とする。
【課題を解決するための手段】
【０００９】
本発明は、上述の課題を解決するための手段を以下のように構成している。
【００１０】
（１）本発明は、
複数のフォーマットでエンコードされた音声信号が記録されたディスクのデータを読み取って、前記音声信号のフォーマットを検出する検出手段を備えたディスク再生装置において、
前記検出手段が検出したフォーマットが複数であるという条件を満たした場合に、前記フォーマットを複数検出した旨を表示器に出力する告知手段を備えた。
【００１１】
この構成では、告知手段が、前記検出手段が検出したフォーマットが複数であるという条件を満たした場合に前記フォーマットを複数検出した旨を表示器に出力するので、ユーザが所望する音声信号のフォーマットを見落とすことなく、視聴することができる。
【００１２】
（２）本発明は、
複数のフォーマットでエンコードされた音声信号が記録されたディスクのデータを読み取って、前記音声信号のフォーマットを検出する検出手段を備えたディスク再生装置において、
前記音声信号を出力するフォーマットの設定を予め受け付けるフォーマット設定手段と、
前記検出手段が検出したフォーマットの中に、前記フォーマット設定手段で設定したフォーマットが含まれるという条件を満たした場合に、該フォーマットを検出した旨を表示器に出力する告知手段を備えた。
【００１３】
この構成では、告知手段が、前記検出手段が検出したフォーマットの中に、前記フォーマット設定手段で設定したフォーマットが含まれるという条件を満たした場合に、該フォーマットを検出した旨を表示器に出力する。したがって、所望のフォーマットがフォーマット設定手段で設定されれば、所望のフォーマットの音声信号を見落とすことなく、視聴することができる。
【００１４】
（３）本発明は、
複数のフォーマットでエンコードされた音声信号が記録されたディスクのデータを読み取って、前記音声信号のフォーマットを検出する検出手段を備えたディスク再生装置において、
前記音声信号を出力する言語の設定を予め受け付ける言語設定手段と、
前記検出手段が検出したフォーマットの中に、前記言語設定手段で設定した言語に対応する複数のフォーマットが含まれるという条件を満たした場合に、該フォーマットを複数検出した旨を表示器に出力する告知手段と、を備えた。
【００１５】
この構成では、前記検出手段が検出したフォーマットの中に、前記言語設定手段で設定した言語に対応する複数のフォーマットが含まれるという条件を満たした場合に、該フォーマットを複数検出した旨を表示器に出力する。したがって、所望の言語が言語設定手段で設定されれば、ユーザは、この言語に関するフォーマットの音声信号を見落とすことなく、視聴することができる。
【００１６】
（４）本発明は、
複数のフォーマットでエンコードされた音声信号が記録されたディスクのデータを読み取って、前記音声信号のフォーマットを検出する検出手段を備えたディスク再生装置において、
前記音声信号を出力する言語の設定を予め受け付ける言語設定手段と、
前記音声信号を出力するフォーマットの設定を予め受け付けるフォーマット設定手段と、
前記検出手段が検出したフォーマットの中に、前記言語設定手段で設定した言語に対応するフォーマットであり、前記フォーマット設定手段で設定したフォーマットが含まれるという条件を満たした場合に、該フォーマットを検出した旨を表示器に出力する告知手段と、を備えた。
【００１７】
この構成では、告知手段が、前記検出手段が検出したフォーマットの中に、前記言語設定手段で設定した言語に対応するフォーマットであり、前記フォーマット設定手段で設定したフォーマットが含まれるという条件を満たした場合に、該フォーマットを検出した旨を表示器に出力する。したがって、所望の言語が言語設定手段で設定され、かつ、前記フォーマット設定手段でフォーマットが設定されれば、ユーザは、これらの設定手段で設定した所定の言語に関する所定のフォーマットの音声信号を見落とすことなく、視聴することが可能となる。
【００１８】
（５）本発明は、
前記告知手段は、前記条件を満たすフォーマットが、現在再生されている音声信号のフォーマットのみの場合には、前記出力することを行わないことを特徴とする。
【００１９】
この構成では、現在再生されている音声信号のフォーマットについては前記出力することを行わないから、ユーザは、現在再生されている音声信号のフォーマットでない、所望する音声信号のフォーマットを見落とすことなく、視聴することができる。
【発明の効果】
【００２０】
本発明によれば、ユーザが所望する音声信号のフォーマットを見落とすことなく、視聴することができる。
【発明を実施するための最良の形態】
【００２１】
図１を用いて、第１の実施形態のディスク再生装置について説明する。このディスク再生装置は、ＤＶＤ１００に記録されたデータを読み取り、再生する装置であり、図１は、このディスク再生装置（図中、１で図示）の構成の一部を表している。ディスク再生装置１は、読取部２と再生回路３と操作部４と制御部５を備える。
【００２２】
マウントしたＤＶＤ１００には、複数のフォーマットでエンコードされた音声信号が格納されている。これら複数の音声信号は、複数のフォーマット、例えばドルビーディジタル（商標）、ｄｔｓ（商標）、リニアＰＣＭ、ＭＰＥＧ（商標）のうちいずれか２以上のフォーマットで音声信号が記録されているものとする。なお、マウントされたＤＶＤ１００に１つのフォーマットでエンコードされた音声信号が格納されていても、本実施形態のディスク再生装置１を適用することができるが、以下の図３、５、７、９で示す表示はされない。
【００２３】
読取部２は、レーザダイオード、ピックアップレンズ、受光素子等を備えるピックアップヘッドと、スピンドルモータと、スレッドモータ、サーボ機構等を備える。これらのモータとサーボ機構により、マウントしたＤＶＤ１００の任意の位置にトラッキングサーボをかけて、レーザダイオードのレーザ光をディスク表面に照射して反射した光を受光素子で読み取る。
再生回路３は、受光素子で読み取ったＲＦ信号を増幅するアンプと、増幅したＲＦ信号をデコードするデコーダを備え、このデコーダにより、ＲＦ信号から映像信号と音声信号を取り出す。再生回路３は、ＯＳＤ５１から出力された映像信号と合成して、表示器１０１に出力すると共に、音声信号をアンプ＆スピーカ１０２に出力する。再生回路３は、ＤＶＤ１００に記録された複数のフォーマットの音声信号のうち、制御部５から指示を受けた１つのフォーマットの音声信号を読み出す。
【００２４】
操作部４は、ディスク再生装置１本体またはリモコンに設けられた操作子、例えば上下、左右キーや決定キーを備えており、この操作子が押下げられることにより、ディスク再生装置１の各種状態について制御部５が制御するための制御コードが入力される。例えば、ユーザは、後述する制御部５のＯＳＤ５１の画面表示を確認しながら、画面の表示のハイライトを上下、左右に移動させることができる。また、このハイライトで表示されている設定について決定キーが押し下げられることにより、制御部５によりこの設定がされる。
【００２５】
制御部５は、ＣＰＵと、制御データ、制御プログラムを格納するＲＯＭ、ＲＡＭとを備え、読取部２、再生回路３等を含むディスク再生装置１全体の制御を行う。また、制御部５は、映像信号に重ねて画面表示の制御を行うＯＳＤ５１（On Screen Desply）、フォーマット検出部５２を備えている。制御部５は、予めユーザによりＯＳＤ５１を用いて設定された設定に基づいて、音声信号を出力するフォーマットを決定し、再生回路３に指示する。
【００２６】
ＯＳＤ５１は、制御部５内のＲＯＭに格納されたＯＳＤプログラムをＣＰＵで実行させることにより、再生回路３が生成する映像出力に重ねる映像信号を再生回路３に出力する。ＯＳＤ５１で出力された映像信号は、再生回路３により、ＤＶＤ１００のコンテンツの映像信号が合成されてＤＶＤ１００に出力される。
【００２７】
ＯＳＤ５１は、再生回路３で再生する映像に重ねて表示器１０１の画面に表示する映像信号を出力する。また、ＯＳＤ５１は、ディスク再生装置１の機能を初期設定する初期設定機能を有しており、この初期設定では、操作部４の左右、上下キーの指示を受けると、ハイライト部を移動させたり、別の設定画面を表示する映像信号を出力して、ユーザが初期設定するのを支援する。本実施形態の装置のディスク再生装置は、ディスク再生装置１の機能の初期設定として、言語設定５１１、フォーマット設定５１２をする。言語設定５１１では、所定の言語の音声信号の設定を受け付ける。ここで、ＤＶＤ１００に複数のフォーマットのみならず複数の言語で記録されている場合があり、言語設定５１１では、この言語設定を受け付ける。フォーマット設定５１２では、ＤＶＤ１００に記録された音声信号のフォーマットの設定を受け付ける。
【００２８】
フォーマット検出部５２は、再生回路３で再生される音声信号から、音声信号のフォーマット、言語を検出する。ここで、ＤＶＤ１００に複数のフォーマットの音声信号が記録されていることは、ディスク再生装置がリードイン領域を読んだだけでは判別できず、実際にそのタイトルの音声信号を再生しないと分からない。したがって、再生回路３でＤＶＤ１００の任意のタイトルの音声信号を読み込んだときに初めて、フォーマット検出部５２は、音声信号のフォーマット、言語を検出することができる。
【００２９】
ディスク再生装置１の外の表示器１０１は、再生回路３の映像出力を画面に表示する。アンプ＆スピーカ１０２は、再生回路３から出力された音声信号をアンプにより増幅してスピーカに出力し、スピーカから音声を放音する。
【００３０】
次に、図２のフロー図、図３の画面表示例を用いて、制御部５がＤＶＤ１００を再生する処理のフローについて説明する。この処理では、音声信号が複数のフォーマットで記録されている場合にその旨をユーザに告知する。例えば、より高音質のフォーマットがこのタイトルに記録されている場合には、ユーザに告知することができる。
＜ＳＴ１＞制御部５は、操作部４で指示されたタイトルのコンテンツの再生を開始するよう再生回路３に指示する。
＜ＳＴ２＞フォーマット検出部５２が、読取部２で再生された音声信号から、再生しているタイトルの音声信号のフォーマットを検出し、制御部５は、フォーマット検出部５２で検出したフォーマットが複数あるかどうか判断する。複数のフォーマットで記録されていれば、ＳＴ３に進み、複数のフォーマットで記録されていなければ、フローは終了する。
＜ＳＴ３＞ＯＳＤ５１は、表示器１０１に「このコンテンツには、複数のフォーマットで記録された音声が存在します。」旨表示する映像信号を出力する。例えば、図３に示すように、表示器１０１の画像１０１１の一部にこれを表示する。
【００３１】
なお、ＳＴ３で表示する画面で、ＯＳＤ５１がフォーマットの変更を促す表示、例えば「フォーマットを変更しますか？ｙｅｓ／ｎｏ」旨表示する映像信号を画面１０１１に合わせて出力して、フォーマットを変更する操作を受け付けても良い。
また、第１の実施形態のディスク再生装置では、必ずしもＯＳＤ５１の初期設定機能（言語設定５１１、フォーマット設定５１２を設定する機能）を必要としない。
【００３２】
次に、第１の実施形態の応用に係る第２の実施形態のディスク再生装置について説明する。第２の実施形態のディスク再生装置の構成は、図１と同様であり、以上の説明を準用する。第２の実施形態のディスク再生装置が第１の実施形態のディスク再生装置と異なる点は、画面表示の制御方法である。
【００３３】
図４のフロー図、図５の画面表示例を用いて、第２の実施形態の装置で制御部５がＤＶＤ１００を再生する処理のフローについて説明する。このフローでは、ユーザがＯＳＤ５１で設定したフォーマットが再生を指示されたタイトルに記録されている場合に、そのフォーマットが記録されている旨を告知する。これにより、ユーザは所望のフォーマットが存在する旨を知ることができる。
【００３４】
＜ＳＴ１１＞制御部５は、操作部４で指示されたタイトルのコンテンツの再生を開始するよう再生回路３に指示する。
＜ＳＴ１２＞制御部５は、ユーザがＯＳＤ５１を用いて初期設定したフォーマット設定５１２を参照し、その情報を取得する。以下では、フォーマット設定５１２で設定されたフォーマットをフォーマットＡとして説明する。
【００３５】
＜ＳＴ１３＞フォーマット検出部５２が、読取部２で再生された音声信号から再生しているタイトルの音声信号のフォーマットを検出し、制御部５は、フォーマット検出部５２が検出したフォーマットが複数あるかどうか判断する。
【００３６】
複数のフォーマットで記録されていればＳＴ１４に進み、複数のフォーマットで記録されていなければ、フローは終了する。
【００３７】
＜ＳＴ１４＞制御部５は、フォーマット検出部５２が検出したフォーマットの中に、ＳＴ１２で参照したフォーマットＡがあるかどうか判断し、フォーマットＡがある場合にはＳＴ１５に進み、フォーマットＡがない場合には、ＳＴ１６に進む。
【００３８】
＜ＳＴ１５＞ＯＳＤ５１は、ＯＳＤ５１で設定したフォーマットが存在する旨の表示を表示器１０１に出力する。例えば、図５に示すように、表示器１０１の画面１０１２の一部に、再生回路３が再生する映像信号と重ねて、「このコンテンツには、フォーマットＡで記録された音声が存在します。」旨を表示して、ユーザに告知する。このＳＴ１５の後フローは終了する。
【００３９】
＜ＳＴ１６＞ＯＳＤ５１は、表示器１０１に「このコンテンツには、複数のフォーマットで記録された音声が存在します。」旨表示する映像信号を出力する。例えば、第１の実施形態の画面表示例を示す図３と同様、表示器１０１の画像の一部にこれを表示する。このＳＴ１６の後、フローは終了する。
【００４０】
なお、ＳＴ１５、またはＳＴ１６で表示する画面で、ＯＳＤ５１がフォーマットの変更を促す表示、例えば「フォーマットを変更しますか？ｙｅｓ／ｎｏ」という表示の映像信号を画面１０１１に合わせて出力して、フォーマットを変更する操作を受け付けても良い。
また、ＳＴ１５の処理で、現在再生しているタイトルの音声信号のフォーマットがフォーマットＡである場合には、音声信号のフォーマットを切り替える必要がなく、わざわざ告知する必要がないから、判断ステップを設けて、即座にフローを終了してもよい。
【００４１】
また、第２の実施形態のディスク再生装置では、ＯＳＤ５１は必須であるが、言語設定５１１の設定項目は、必ずしも設ける必要がない。
【００４２】
次に、第１、第２の実施形態の応用に係る第３の実施形態のディスク再生装置について説明する。第２の実施形態のディスク再生装置の構成は、図１と同様であり、以上の説明を準用する。第３の実施形態のディスク再生装置が以上の実施形態のディスク再生装置と異なる点は、画面表示の制御方法である。
【００４３】
図６のフロー図、図７の画面表示例を用いて、第３の実施形態の装置で制御部５がＤＶＤ１００を再生する処理のフローについて説明する。このフローでは、ユーザがＯＳＤ５１で設定した言語に対応する音声信号のフォーマットが複数ある場合に、フォーマットが複数ある旨を告知する。
【００４４】
＜ＳＴ２１＞制御部５は、操作部４で指示されたタイトルのコンテンツの再生を開始するよう再生回路３に指示する。
＜ＳＴ２２＞制御部５は、ユーザがＯＳＤ５１を用いて初期設定した言語設定５１１を参照し、その情報を取得する。以下では、言語設定５１１で設定された言語を言語Ｘとして説明する。
【００４５】
＜ＳＴ２３＞フォーマット検出部５２が、読取部２で再生された音声信号から再生しているタイトルの音声信号のフォーマットを検出し、制御部５は、フォーマット検出部５２が検出したフォーマットの中に、言語Ｘに対応する複数のフォーマットが含まれるか判断する。ＤＶＤ１００が言語Ｘに対応する複数のフォーマットで記録されていればＳＴ２４に進み、複数のフォーマットで記録されていなければ、フローは終了する。
【００４６】
＜ＳＴ２４＞ＯＳＤ５１は、ＯＳＤ５１で設定したフォーマットが存在する旨の表示を表示器１０１に出力する。例えば、第２の実施形態の画面表示例を示す図５と同様、表示器１０１の画面の一部に、「このコンテンツには、設定された言語Ｘに対応する複数のフォーマットで記録された音声が存在します。」旨を表示して、ユーザに告知する。このＳＴ２４の後フローは終了する。
【００４７】
なお、第３の実施形態のディスク再生装置では、ＯＳＤ５１は必須であるが、フォーマット設定５１２の設定項目は、必ずしも設ける必要がない。
【００４８】
次に、第１〜第３の実施形態の応用に係る第４の実施形態のディスク再生装置について説明する。第４の実施形態のディスク再生装置の構成は、図１と同様であり、以上の説明を準用する。第４の実施形態のディスク再生装置が以上の実施形態のディスク再生装置と異なる点は、画面表示の制御方法である。
【００４９】
図８のフロー図、図９の画面表示例を用いて、第２の実施形態の装置で制御部５がＤＶＤ１００を再生する処理のフローについて説明する。このフローでは、ユーザがＯＳＤ５１で設定したフォーマットがある場合にそのフォーマットがある旨を告知する。
【００５０】
＜ＳＴ３１＞制御部５は、操作部４で指示されたタイトルのコンテンツの再生を開始するよう再生回路３に指示する。
＜ＳＴ３２＞制御部５は、ユーザがＯＳＤ５１を用いて初期設定したフォーマット設定５１２を参照し、その情報を取得する。以下では、フォーマット設定５１２で設定されたフォーマットをフォーマットＡとして説明する。
【００５１】
＜ＳＴ３３＞制御部５は、ユーザがＯＳＤ５１を用いて初期設定した言語設定５１１を参照し、その情報を取得する。以下では、言語設定５１１で設定された言語を言語Ｘとして説明する。
【００５２】
＜ＳＴ３４＞フォーマット検出部５２が、読取部２で再生された音声信号から再生したタイトルの音声信号のフォーマットを検出し、制御部５は、フォーマット検出部５２が検出したフォーマットの中に、言語Ｘに対応する複数のフォーマットが含まれるか判断する。複数のフォーマットで記録されていればＳＴ３５に進み、複数のフォーマットで記録されていなければ、フローは終了する。
【００５３】
＜ＳＴ３５＞制御部５は、ＳＴ３４で判断した、言語Ｘに対応する複数のフォーマットの中に、フォーマットＡがあるかどうか判断し、フォーマットＡがある場合にはＳＴ３６に進み、フォーマットＡがない場合には、ＳＴ３７に進む。
【００５４】
＜ＳＴ３６＞ＯＳＤ５１は、ＯＳＤ５１で設定したフォーマットが存在する旨の表示を表示器１０１に出力する。例えば、図５に示すように、表示器１０１の画面１０１２の一部に、再生回路３が再生する映像信号と重ねて、「このコンテンツには、設定された言語Ｘに対応するフォーマットＡで記録された音声が存在します。」と表示して、ユーザに告知する。このＳＴ３６の後フローは終了する。
【００５５】
＜ＳＴ３７＞ＯＳＤ５１は、表示器１０１に「このコンテンツには、設定された言語Ｘに対応する複数のフォーマットで記録された音声が存在します。」旨を表示する。例えば、第３実施形態の図７と同様、表示器１０１の画像の一部にこれを表示する。このＳＴ３７の後、フローは終了する。
【００５６】
なお、ＳＴ３６、またはＳＴ３７で表示する画面で、ＯＳＤ５１がフォーマットの変更を促す表示、例えば「フォーマットを変更しますか？ｙｅｓ／ｎｏ」という表示の映像信号を画面１０１４に合わせて出力して、フォーマットを変更する操作を受け付けても良い。
また、ＳＴ３６の処理で、現在再生しているタイトルの音声信号のフォーマットが言語Ｘに対応したフォーマットＡである場合には、音声信号のフォーマットを切り替える必要がなく、わざわざ告知する必要がないから、判断ステップを設けて、即座にフローを終了してもよい。
また、第４の実施形態のディスク再生装置では、ＯＳＤ５１の言語設定５１１、フォーマット設定５１２の設定項目は必須である。
【００５７】
以上の実施形態では、ディスク再生装置１が再生する対象をＤＶＤ１００としたが、１つの記録媒体に同一内容の音声信号が複数のフォーマットで記録されている場合には、これらの実施形態の装置を応用することができる。
【００５８】
また、以上の実施形態では、実際に任意のタイトルを再生しないと、フォーマット検出部５２が音声信号のフォーマットが複数記録されていることを検出できない構成とした。この構成の応用形態としては、フォーマット検出部５２がフォーマットを検出するまで表示器１０１、アンプ＆スピーカ１０２に出力せず、改めて最初から再生する構成も可能である。また、これらの構成の別形態としては、音声信号のフォーマットが複数記録されている旨の情報をリードイン領域に記録して、音声信号を読み出すまでもなく、フォーマット検出部５２がフォーマットを検出する構成も可能である。
【図面の簡単な説明】
【００５９】
【図１】ディスク再生装置の構成の一部を表す図
【図２】第１の実施形態のディスク再生装置の制御部がＤＶＤを再生する処理のフロー図
【図３】第１の実施形態のディスク再生装置が再生時にＯＳＤにより表示する画面の例
【図４】第２の実施形態のディスク再生装置の制御部がＤＶＤを再生する処理のフロー図
【図５】第２の実施形態のディスク再生装置が再生時にＯＳＤにより表示する画面の例
【図６】第３の実施形態のディスク再生装置の制御部がＤＶＤを再生する処理のフロー図
【図７】第３の実施形態のディスク再生装置が再生時にＯＳＤにより表示する画面の例
【図８】第４の実施形態のディスク再生装置の制御部がＤＶＤを再生する処理のフロー図
【図９】第４の実施形態のディスク再生装置が再生時にＯＳＤにより表示する画面の例
【符号の説明】
【００６０】
１−ディスク再生装置、  ２−読取部、  ３−再生回路、  ４−操作部
５−制御部、  ５１−ＯＳＤ、  ５１１−言語設定、  ５１２−フォーマット設定
５２−フォーマット検出部
１００−ＤＶＤ、  １０１−表示器、  １０２−アンプ＆スピーカ
【図１】
2007310977.tif 000003
【図２】
2007310977.tif 000004
【図３】
2007310977.tif 000005
【図４】
2007310977.tif 000006
【図５】
2007310977.tif 000007
【図６】
2007310977.tif 000008
【図７】
2007310977.tif 000009
【図８】
2007310977.tif 000010
【図９】
2007310977.tif 000011